(57)【要約】【課題】照明器具の外観に優れた照明器具を提供する。【解決手段】実施形態によれば、複数の器具本体と、光源と、連結部材と、支持部材と、を備えた照明器具が提供される。前記光源は、前記複数の器具本体に設けられる。前記連結部材は、前記器具本体同士を連結する。前記支持部材は、一端が前記連結部材に接続され、他端が天井側に接続される。【選択図】図１
2015220028.tif 000002
【特許請求の範囲】
【請求項１】
複数の器具本体と；
前記複数の器具本体に設けられた光源と；
前記器具本体同士を連結する連結部材と；
一端が前記連結部材に接続され、他端が天井側に接続される支持部材と；
を備えることを特徴とする照明器具。
【請求項２】
前記器具本体は、端部側上面に切欠き凹部を有し、
前記連結部材は、箱状の収容体と、前記収容体の端部に設けられたつば部と、を有し、
前記つば部は、連設された前記各器具本体の前記切欠き凹部内壁面と係合するように設けられ、
前記収容体は前記器具本体の上面から突出するように設けられることを特徴とする請求項１記載の照明器具。
【請求項３】
前記連設された各器具本体の端部側を連結する補助連結具をさらに有し、
前記補助連結具は、前記つば部が前記切欠き部内壁面に係合する位置よりも下側の器具本体内に配設されることを特徴とする請求項２記載の照明器具。
【請求項４】
前記収容体内には電気機器が設けられたことを特徴とする請求項２または３に記載の照明器具。
【請求項５】
前記連結部材及び前記支持部材は、前記複数の器具本体内に電力を供給するための電源線と照明制御するための制御線とが挿通される貫通孔を有することを特徴とする請求項１〜４のいずれか１つに記載の照明器具。
【請求項６】
前記各器具本体の端部側には、前記電源線と制御線とが接続される端子台が設けられることを特徴とする請求項５記載の照明器具。
【発明の詳細な説明】
【技術分野】
【０００１】
本発明の実施形態は、照明器具に関する。
【背景技術】
【０００２】
器具本体と、天井面に取り付ける支持体と、を有する照明器具がある。一般に、このような吊下げ形の照明器具において、複数の支持体が器具本体の中央部等に設けられている。
【０００３】
複数の器具本体を天井面に平行に連結して配置する場合、器具本体の設置数の増加にともなって、器具本体が落下しないように支持体の設置数も増加する。支持体の設置数が増加すると、照明器具の外観が損なわれる。一方、支持体の設置数を減らすと見栄えは良くなるが、単に支持体の設置数を減らすと器具本体が落下し易くなる。照明器具の外観を損なわずに、器具本体の落下のおそれを抑制することが望まれる。
【先行技術文献】
【特許文献】
【０００４】
【特許文献１】特開２０１０−１２９４２７号公報
【発明の概要】
【発明が解決しようとする課題】
【０００５】
本発明の実施形態は、照明器具の外観に優れた照明器具を提供する。
【課題を解決するための手段】
【０００６】
本発明の実施形態によれば、複数の器具本体と、光源と、連結部材と、支持部材と、を備えた照明器具が提供される。前記光源は、前記複数の器具本体に設けられる。前記連結部材は、器具本体同士を連結する。前記支持部材は、一端が前記連結部材に接続され、他端が天井側に接続される。
【発明の効果】
【０００７】
本発明の実施形態によれば、照明器具の外観に優れた照明器具を提供することができる。
【図面の簡単な説明】
【０００８】
【図１】図１（ａ）〜図１（ｃ）は、本実施形態の照明器具の模式図である。
【図２】本実施形態の器具本体の分解斜視図である。
【図３】本実施形態の発光部の連結を説明する図である。
【図４】図４（ａ）及び図４（ｂ）は、本実施形態の照明器具における連結部の分解斜視図である。
【図５】図５（ａ）及び図５（ｂ）は、本実施形態の照明器具における端部の分解斜視図である。
【図６】図６（ａ）及び図６（ｂ）は、本実施形態の照明器具における端子台を表す図である。
【図７】本実施形態の支持部材の分解斜視図である。
【発明を実施するための形態】
【０００９】
実施形態に係る発明は、複数の器具本体と；前記複数の器具本体に設けられた光源と；前記器具本体同士を連結する連結部材と；一端が前記連結部材に接続され、他端が天井側に接続される支持部材と；を備えることを特徴とする照明器具である。
この照明器具によれば、照明器具の外観に優れて、器具本体の落下のおそれを抑制することができる。
【００１０】
また、前記器具本体は、端部側上面に切欠き凹部を有し、前記連結部材は、箱状の収容体と、前記収容体の端部に設けられたつば部とを有し、前記つば部は、連設された前記各器具本体の前記切欠き凹部内壁面と係合するように設けられ、前記収容体は前記器具本体の上面から突出するように設けられることを特徴とする照明器具である。
この照明器具によれば、器具本体の落下のおそれを抑制することができる。
【００１１】
また、前記連設された各器具本体の端部側を連結する補助連結具をさらに有し、前記補助連結具は、前記つば部が前記切欠き部内壁面に係合する位置よりも下側の器具本体内に配設されることを特徴とする照明器具である。
この照明器具によれば、器具本体の落下のおそれを抑制することができる。
【００１２】
また、前記収容体内には電気機器が設けられたことを特徴とする照明器具である。
この照明器具によれば、照明器具全体のスペースを減少させることができる。
【００１３】
また、前記連結部材及び前記支持部材は、前記複数の器具本体内に電力を供給するための電源線と照明制御するための制御線とが挿通される貫通孔を有することを特徴とする照明器具である。
この照明器具によれば、照明器具全体のスペースを減少させることができる。
【００１４】
また、前記各器具本体の端部側には、前記電源線と制御線とが接続される端子台が設けられることを特徴とする照明器具である。
この照明器具によれば、照明器具全体のスペースを減少させることができる。
【００１５】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１６】
図１（ａ）〜図１（ｃ）は、本実施形態の照明器具の模式図である。
図２は、本実施形態の器具本体の分解斜視図である。
図３は、本実施形態の発光部の連結を説明する図である。
【００１７】
図１（ａ）において、照明器具１００の外観図が示されている。図１（ｂ）及び図１（ｃ）において、照明器具１００の平面図及び側面図がそれぞれ示されている。
例えば、本実施形態の照明器具１００は、天井面から吊り下げられ、天井面の下方にある空間と、天井面に向けて光を照射する。ただし、照明器具１００は、必ずしも両面照射型の照明器具でなくても良い。片面照射型の照明器具でも良い。
【００１８】
図１（ａ）及び図１（ｂ）に表すように、照明器具１００は、複数の器具本体１０と、器具本体１０を天井面に取り付ける複数の支持部材２０と、を備える。
【００１９】
隣接する器具本体１０の一端は、連結部１１において連結されている。また、連結部１１において連結された器具本体１０は、支持部材２０に接続している。器具本体１０の他端である端部１２において、器具本体１０は、支持部材２０に接続している。連結した複数の器具本体１０は、支持部材２０によって天井面に接続している、収納部１３が連結部１１と端部１２との間に設けられている。
【００２０】
本実施形態では、照明器具１００は、２つの器具本体１０の一端が連結することで形成されている。連結される器具本体１０の数は３つ以上でも良い。例えば、照明器具１００が７つの器具本体１０で形成されている７連結の場合、連結部１１の数は６つであり、支持部材２０の数は８つである。
【００２１】
図１（ａ）及び図１（ｃ）に表すように、器具本体１０は、上面１０ａ、下面１０ｂ及び側面１０ｃを有するボックス形状に形成されている。器具本体１０は、上面１０ａ及び下面１０ｂにおいて矩形状を有し、側面１０ｃにおいて台形状を有する。器具本体１０は、側面１０ｃにおいて円柱状を有しても良い。例えば、器具本体１０の高さｈ（側面の厚さ）は、１２０ｍｍ〜１５０ｍｍ程度である。
【００２２】
器具本体１０は、支持部材２０と接続する金属製のシャーシ１５と、上面カバー１６と、下面カバー１７と、を備える。シャーシ１５と上面カバー１６とを接合するための部材を器具本体１０に別途設けても良い。下面カバー１７の少なくとも一部上に反射板を設けて、発光部１４からの光を反射させても良い。反射板によって下方空間の発光効率が上昇する。
【００２３】
図２において、連結部１１及び端部１２の分解図が示されている。
連結部１１には、ボックス３１（収容体）と、連結プレート３２と、が設けられている。ボックス３１は、円筒状の箱体３３と、底部に設けられたつば部３４と、を備える。ボックス３１は、器具本体１０の上面１０ａから突出している。箱体３３は、金属製である。
【００２４】
連結プレート３２の中央に貫通孔３２ｏが形成されている。また、ねじ孔３２ａ、３２ｂが連結プレート３２に設けられている。電気機器３５が貫通孔３２ｏから挿通されてボックス３１の箱体３３内に収容される。
【００２５】
電気機器３５とは、周囲の照度を検出する光センサーの他、人感センサー、リモコン受光部、非常灯、スピーカ、スプリンクラー等であってもよく照明器具１００と連動して機能するものでもよいし、照明器具とは連動せず設備機器として機能するものであってもよい。光センサーは、光を照らす空間が暗くなると自動で電源が入り、明るくなれば自動で電源が切れる機能を有するセンサーである。
【００２６】
端部１２には、平金具４１と、端部カバー４２と、端部プレート４３と、が設けられている。ねじ孔４３ａ、４３ｂが端部プレート４３に設けられている。
【００２７】
図３に表すように、光源としての発光部１４が収納部１３に収納されている。発光部１４は、器具本体１０内に保持される。発光部１４は、下部ユニットとしての発光部１４ａ〜発光部１４ｄと、上部ユニットとしての発光部１４ｅ及び発光部１４ｆと、を備える。発光部１４ａ〜発光部１４ｆは、器具本体１０の長手方向に配置される。発光部１４ａ〜発光部１４ｄは、器具本体１０の下面１０ｂ側に配置される。発光部１４ｅ及び発光部１４ｆは、器具本体１０の上面１０ａ側に配置される。つまり、図３において、発光部１４ａ、１４ｂの上側に発光部１４ｅが設けられる。また、発光部１４ｃ、１４ｄの上側に発光部１４ｆが設けられる。
【００２８】
発光部１４ａ〜発光部１４ｆは、収納部１３内の取付板等によって取り付けられて収納される。下部ユニット内の発光部１４の数は、各器具本体１０に対して１つまたは３つ以上でも良い。また、上部ユニット及び下部ユニットのいずれかが発光部１４として設けられていても良い。発光部１４は器具本体１０から取り外すことができる。
【００２９】
発光部１４は、ＬＥＤ（Light Emitting Diode）を用いた直管形ランプである。発光部１４ａ〜発光部１４ｆがＬＥＤモジュールを形成する。発光部１４として直管形の蛍光ランプを用いても良い。発光部１４は、後述する端子台に電気的に接続される。
【００３０】
図４（ａ）及び図４（ｂ）は、本実施形態の照明器具における連結部の分解斜視図である。
図５（ａ）及び図５（ｂ）は、本実施形態の照明器具における端部の分解斜視図である。
【００３１】
図４（ａ）及び図４（ｂ）において、器具本体１０の上面１０ａ及び下面１０ｂ側からみた連結部１１の拡大分解図が示されている。図５（ａ）及び図５（ｂ）において、器具本体１０の上面１０ａ及び下面１０ｂ側からみた端部１２の拡大分解図が示されている。
【００３２】
図４（ａ）に表すように、円筒状の箱体３３が挿通するように、器具本体１０の一端側の上面１０ａに切欠き凹部１０ｏ１、１０ｏ２が設けられている。つば部３４に設けられたねじ孔３４ａ〜３４ｄ（取付孔）、及び、切欠き凹部１０ｏ１、１０ｏ２に設けられたねじ孔１０ｄ〜１０ｇ（取付孔）にねじを挿通することで、隣接する器具本体１０が上面１０ａ側から連結される。切欠き凹部１０ｏ１、１０ｏ２をつば部３４に乗せ掛けるように、器具本体１０同士が上面１０ａ側から連結される。つば部３４は、連設された各器具本体１０の切欠き凹部１０ｏ１、１０ｏ２の内壁面と係合する。
【００３３】
図４（ｂ）に表すように、器具本体１０の下部に２つの補助連結具３６が取り付けられている。補助連結具３６は、金属製であり、４つのねじ孔３６ａ〜３６ｄを有する。ねじ孔３６ａ〜３６ｄにねじを挿通して、補助連結具３６を器具本体１０に取り付ける。補助連結具３６は、連設された各器具本体１０の端側を連結すると共に固定する。補助連結具３６は、つば部３４と切欠き凹部１０ｏ１、１０ｏ２との係合位置よりも下側に配設される。連結プレート３２のねじ孔３２ａ、３２ｂにねじを挿通して、連結プレート３２を器具本体１０に取り付ける。隣接する器具本体１０が下面１０ｂ側から連結される。
隣接する器具本体１０が連結部１１において連結される。
【００３４】
図５（ａ）に表すように、切欠き凹部１０ｏ３が器具本体１０の一端側の上面１０ａに設けられている。また、切欠き凹部４２ｏが端部カバー４２に設けられている。支持部材２０が挿通するように、切欠き凹部１０ｏ３及び切欠き凹部４２ｏが設けられている。ねじ孔４１ａ〜４１ｄが平金具４１に設けられている。ねじ孔４２ａ、４２ｂが切欠き凹部４２ｏに設けられている。ねじ孔１０ｈ、１０ｉが切欠き凹部１０ｏ３に設けられている。
【００３５】
ねじ孔４１ａ、４１ｂと、ねじ孔４２ａ、４２ｂとにねじを挿通し、ねじ孔４１ｃ、４１ｄと、ねじ孔１０ｈ、１０ｉとにねじを挿通することで、器具本体１０と端部カバー４２とが上面１０ａ側から連結される。切欠き凹部１０ｏ３、４２ｏを平金具４１に乗せ掛けるように、器具本体１０と端部カバー４２とが上面１０ａ側から連結される。平金具４１は、切欠き凹部１０ｏ３、４２ｏの内壁面と係合する。
【００３６】
図５（ｂ）に表すように、器具本体１０及び端部カバー４２の下部に２つの補助連結具４４が取り付けられている。補助連結具４４は、金属製であり、４つのねじ孔４４ａ〜４４ｄを有する。ねじ孔４４ａ〜４４ｄにねじを挿通して、補助連結具４４を器具本体１０及び端部カバー４２に取り付ける。補助連結具４４は、連設された器具本体１０及び端部カバー４２を連結すると共に固定する。端部プレート４３のねじ孔４３ａ、４３ｂにねじを挿通して、端部プレート４３を器具本体１０及び端部カバー４２に取り付ける。器具本体１０及び端部カバー４２が下面１０ｂ側から連結される。
器具本体１０及び端部カバー４２が端部１２において連結される。
【００３７】
図６（ａ）及び図６（ｂ）は、本実施形態の照明器具における端子台を表す図である。
図６（ａ）において、連結部１１の近傍に設けられた端子台が示されている。図６（ｂ）において、端部１２の近傍に設けられた端子台が示されている。
【００３８】
図６（ａ）に表すように、端子台は、器具本体１０の下面１０ｂ側において連結部１１と収納部１３との間に設けられている。端子台は、電源端子台５１及び信号端子台５２である。電源端子台５１及び信号端子台５２は、発光部１４の上部ユニット用及び下部ユニット用に設けられる。例えば、上部ユニット用の電源端子台５１及び信号端子台５２が図面の右側に設けられる。下部ユニット用の電源端子台５１及び信号端子台５２が図面の左側に設けられる。
【００３９】
電源端子台５１は、収納部１３内に設けられた電源ユニットに配線を介して電気的に接続される。電源端子台５１は、貫通孔１１ｏを通る配線を介して、照明器具１００の外部に設けられた電源に電気的に接続される。貫通孔１１ｏは、支持部材２０（吊りパイプ）につながるように連結部１１内に設けられている。電源端子台５１に接続された電源線は、貫通孔１１ｏから支持部材２０（吊りパイプ）内を通って電源に電気的に接続する。したがって、電源ユニットは、電源端子台５１を介して外部の電源に電気的に接続され、発光部１４に電力が供給される。
【００４０】
信号端子台５２は、収納部１３内に設けられた制御ユニットに配線を介して電気的に接続される。また、信号端子台５２は、貫通孔１１ｏを通る配線を介して、照明器具１００の外部に設けられた外部装置等に電気的に接続される。信号端子台５２に接続された制御線は、貫通孔１１ｏから支持部材２０（吊りパイプ）内を通って外部装置等に電気的に接続する。したがって、信号端子台５２を介して外部装置から制御ユニットに制御信号が送られて、発光部１４の明るさ等が調整される。
【００４１】
図６（ｂ）に表すように、電源端子台５１及び信号端子台５２は、器具本体１０の下面１０ｂ側において端部１２と収納部１３との間に設けられる。電源端子台５１は、貫通孔１２ｏを通る配線を介して、照明器具１００の外部に設けられた電源に電気的に接続される。貫通孔１２ｏは、支持部材２０（吊りパイプ）につながるように端部１２内に設けられている。電源端子台５１に接続された電源線は、貫通孔１２ｏから支持部材２０（吊りパイプ）内を通って電源に電気的に接続する。したがって、電源ユニットは、電源端子台５１を介して外部の電源に電気的に接続され、発光部１４に電力が供給される。
【００４２】
また、信号端子台５２は、貫通孔１２ｏを通る配線を介して、照明器具１００の外部に設けられた外部装置等に電気的に接続される。信号端子台５２に接続された制御線は、貫通孔１２ｏから支持部材２０（吊りパイプ）内を通って外部装置等に電気的に接続する。したがって、信号端子台５２を介して外部装置から制御ユニットに制御信号が送られて、発光部１４の明るさ等が調整される。
【００４３】
図７は、本実施形態の支持部材の分解斜視図である。
支持部材２０は、吊りパイプ２１と、吊りカバー２２と、複数の吊り金具２３と、吊りボックス２４と、を備える。吊り金具２３は、ナット２３ａ、パイプ吊金具２３ｂ、及び、抜け止金具２３ｃ等である。天井内の部材と支持部材２０とをワイヤー２５で接続して照明器具１００の落下が抑制される。
【００４４】
吊りパイプ２１内には電源線及び信号線が挿通されている。貫通孔１１ｏが吊りパイプ２１につながるように連結部１１内に設けられているので、電源端子台５１に接続された電源線、及び、信号端子台５２に接続された信号線が吊りパイプ２１を介して外部電源及び外部装置に接続される。吊りパイプ２１内にはワイヤー２５が挿通されても良い。
【００４５】
吊りカバー２２は、吊りボックス２４内に吊りパイプ２１の一部及び吊り金具２３を収容するように吊りボックス２４を覆う。吊りカバー２２は、天井面に密着される。吊りパイプ２１の一端はボックス３１に接続されている。吊りパイプ２１の他端は、吊りボックス２４に接続されている。
【００４６】
吊りパイプ２１に設けられた溝を吊り金具２３ｂのスリットに差し込み、吊り金具２３ｂをねじ等で固定して、吊りパイプ２１が吊りボックス２４に接続される。連結部１１及び端部１２において、支持部材２０が器具本体１０と天井面とに接続される。
【００４７】
複数の器具本体を天井面に平行に連結して配置する場合、器具本体の設置数の増加と共に、支持部材の設置数も増加する。また、器具本体の設置数が増加すると、隣接する器具本体の連結部、及び、支持部材が連結部に接続する部分によって、器具本体の落下のおそれがある。
【００４８】
本実施形態のように、連結部において器具本体同士が１つのボックス３１によって連結される。このような器具本体の連結によって、支持部材の数を減らすと共に、連結の強度が増加する。器具本体の落下のおそれが抑制される。
【００４９】
また、連結部に設けられたボックスは、照明器具を連結するための連結金具として機能すると共に、ボックスに光センサーや非常用照明器具等の電気機器が収納できる。さらに、連結部の近傍に電源端子台や信号端子台を設け、連結部に接続された支持部材の吊りパイプに電源線及び信号線が挿通されている。吊りパイプ内を通る電源線及び信号線は、外部電源及び外部装置に接続される。したがって、照明器具の外観を損なわずに、照明器具全体のスペースを減少させることができる。
【００５０】
本実施形態によれば、照明器具の外観に優れて、器具本体の落下のおそれが抑制された照明器具を提供する。
【００５１】
本実施形態では、隣接する器具本体１０を連結する連結部１１に、電気機器３５を収容するボックス３１が設けられている。３つ以上の器具本体１０を連結する場合、必ずしも連結部１１の全てにボックス３１を設ける必要はない。例えば、照明器具１００が７つの器具本体１０で形成されている７連結の場合、６つの連結部１１の内の２つの連結部１１に電気機器３５が設けられても良い。連結部１１にボックス３１が設けられない場合、例えば、図５のように平金具４１を用いて隣接する器具本体１０を連結する。ボックス３１及び平金具４１が連結部材に相当する。
【００５２】
例えば、照明器具に含まれる器具本体及び支持部材、並びに、連結部、端部、収納部、発光部、シャーシ、上面カバー、下面カバー、ボックス、連結プレート、電気機器、補助連結具、平金具、端部カバー、端部プレート、電源端子台、信号端子台、吊りパイプ、吊りカバー、吊り金具、吊りボックス、及びワイヤーなどの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、前述の各実施形態は、相互に組み合わせて実施することができる。
【符号の説明】
【００５４】
１０…器具本体、  １０ａ…上面、  １０ｂ…下面、  １０ｃ…側面、  １０ｄ〜１０ｉ、３２ａ、３２ｂ、３４ａ〜３４ｄ、３６ａ〜３６ｄ、４１ａ〜４１ｄ、４２ａ、４２ｂ、４３ａ、４３ｂ、４４ａ〜４４ｄ…ねじ孔、  １０ｏ１〜１０ｏ３、４２ｏ…切欠き凹部、  １１…連結部、  １１ｏ、３２ｏ…貫通孔、  １２…端部、  １３…収納部、  １４、１４ａ〜１４ｆ…発光部、  １５…シャーシ、  １６…上面カバー、  １７…下面カバー、  ２０…支持部材、  ２１…吊りパイプ、  ２２…吊りカバー、  ２３…吊り金具、  ２４…吊りボックス、  ２５…ワイヤー、  ３１…ボックス、  ３２…連結プレート、  ３３…箱体、  ３４…つば部、  ３５…電気機器、  ３６、４４…補助連結具、  ４１…平金具、  ４２…端部カバー、  ４３…端部プレート、  １００…照明器具
【図１】
2015220028.tif 000003
【図２】
2015220028.tif 000004
【図３】
2015220028.tif 000005
【図４】
2015220028.tif 000006
【図５】
2015220028.tif 000007
【図６】
2015220028.tif 000008
【図７】
2015220028.tif 000009